(57)【要約】      （修正有）【課題】泡を生成することができる吐出具を提供する。【解決手段】浴槽９０の表面側に取り付けられ、第１吐出口１３ａから浴槽９０へ水を吐出する。吐出具１は、第１給水口１１ａに給水源からの水が供給される。第１給水口１１ａから供給された水は、第１通流路１２ａにより第１吐出口１３ａへ通流される。第１通流路１２ａは、第１エゼクター４ａを有する。第１エゼクター４ａは、第１給水口１１ａから流入する水に空気を混入して泡を生成し、第１吐出口１３ａへ送り出す。【選択図】図２
2020110644.tif 000002
【特許請求の範囲】
【請求項１】
浴槽へ水および泡を吐出する吐出具であって、
吐出口が上下２段に分けられており、
下段側の第１吐出口が一端部に形成された第１通流路の他端部側に連結されており、前記浴槽に設けた孔に挿通して固定される第１給水管と、
上段側の第２吐出口が一端部に形成された第２通流路の他端部側に連結されており、前記浴槽に設けた孔に挿通して固定される第２給水管と、を有し、
前記第２給水管は、前記第１給水管の後方に設けられていることを特徴とする吐出具。
【発明の詳細な説明】
【技術分野】
【０００１】
本発明は、浴槽に用いる吐出具に関する。
【背景技術】
【０００２】
特許文献１には、配管を兼ねた脚部を備え、浴槽のフランジ部に設けた挿通孔に挿通させて固定された吐出具が開示されている。吐出具は、脚部に切替装置を介して湯水供給装置および泡供給装置が接続されており、選択的に泡または湯水を吐出する。
【先行技術文献】
【特許文献】
【０００３】
【特許文献１】特開２０１１−１３０９１１号公報
【発明の概要】
【発明が解決しようとする課題】
【０００４】
特許文献１に記載の吐出具は、湯水および泡を吐出するために浴槽裏に切替装置および泡供給装置を必要とする。浴槽裏に十分な空間がない場合には、切替装置および泡供給装置を設置できないという問題があった。また、泡供給装置で生成された泡は、吐出具に到達するまでに、泡供給装置および切替装置をつなぐ配管、さらに切替装置から吐出具の脚部に至る配管を通過する際に、配管抵抗によって潰れて粗い泡になってしまうことも懸念される。
【０００５】
本発明は、斯かる事情に鑑みてなされたものであり、その目的とするところは、泡を生成することができる吐出具を提供することにある。
【課題を解決するための手段】
【０００６】
本発明に係る吐出具は、浴槽の表面側に取り付けられる吐出具であって、前記浴槽へ水を吐出する第１吐出口と、給水源からの水が供給される第１給水口と、前記第１給水口から供給される水を前記第１吐出口へ通流させる第１通流路と、を備え、前記第１通流路は、前記第１給水口から流入する水に空気を混入して泡を生成し、前記第１吐出口へ送り出す第１エゼクターを有することを特徴とする。
【０００７】
本発明にあっては、吐出具は、浴槽の表面側に取り付けられる。吐出具は、第１給水口に給水源からの水が供給され、第１吐出口から浴槽へ水を吐出する。第１給水口から供給される水を第１吐出口へ通流させる第１通流路は、第１エゼクターを有する。第１エゼクターは、第１給水口から流入する水に空気を混入して泡を生成し、第１吐出口へ送り出す。これにより、吐出具で泡を生成することができる。
【発明の効果】
【０００８】
本発明によれば、第１給水口から供給される水を第１吐出口へ通流させる第１通流路は、第１エゼクターを有する。第１エゼクターは、第１給水口から流入する水に空気を混入して泡を生成し、第１吐出口へ送り出すので、吐出具で泡を生成することができる。
【図面の簡単な説明】
【０００９】
【図１】実施形態１に係る吐出具を含む浴槽装置の構成図である。
【図２】実施形態１に係る吐出具の構成を模式的に示す断面図である。
【図３】止水弁の開閉に対応する吐出具からの吐出状態の例を示す図表である。
【図４】実施形態２に係る吐出具の縦断面図である。
【図５】止水弁の開閉に対応する吐出具からの吐出状態の例を示す図表である。
【図６】吐出具の配置に関する別の例を説明するための模式図である。
【図７】吐出具の配置に関するさらに別の例を説明するための模式図である。
【発明を実施するための形態】
【００１０】
以下、本発明を好適な実施の形態をもとに図１から図７を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（実施形態１）
図１は実施形態１に係る吐出具１を含む浴槽装置１００の構成図である。浴槽装置１００は、湯を溜める浴槽９０、壁パネル９１、吐出具１、給水源２、止水弁３ａおよび止水弁３ｂを有する。浴槽９０は、フランジ部９０ａに吐出具１が取り付けられており、吐出具１から吐出される水および泡を溜める。壁パネル９１は、浴槽９０のフランジ部９０ａに載置されている。壁パネル９１は、浴槽９０および図示しない洗い場の四方を他の壁パネルとともに囲んで浴室空間を形成する。
【００１２】
給水源２は、浴槽９０に溜められた水を吸い込んで吐出具１に供給するポンプ装置である。給水源２は、図１に示す浴槽９０に溜められた水の循環系によるもの以外にも、給湯装置から取水するものでもよい。給水源２から吐出具１へ給水する配管は、２分岐し、止水弁３ａおよび３ｂを介して、吐出具１に接続される。給水源２、止水弁３ａおよび３ｂは、浴槽９０の裏側に設けられている。これに対し、吐出具１は、浴室空間内側である浴槽９０の表面側に取り付けられている。吐出具１は、浴槽９０に溜められた水の中からではなく水の外、即ち水面より上側から浴槽９０に水および泡を吐出すべく、浴槽９０の上端部または上端部よりやや下がった位置に取り付けられる。吐出具１は、給水源２から供給された水をそのまま吐出する機能と、給水源２から供給された水に空気を混ぜて泡を生成して吐出する機能とを有する。吐出具１は、供給される水に泡立ち成分を含む液剤が入っていない場合と該液剤が入っている場合の両方に対応して使用することが可能である。給水源２から供給された水は、泡立ち成分を含む液剤が入っていない場合、吐出具１で水中に気泡が生成されて吐出具１から吐出される。また、給水源２から供給された水は、泡立ち成分を含む液剤入りである場合、該液剤によって泡立てられた状態で吐出具１から吐出される。吐出具１から吐出する泡は、水に混入させる液剤の種類および濃度等に応じて、ムース状のきめ細かな状態のものから比較的に粒径の大きい状態のものまで、多様な状態のものとなる。このように、吐出具１は、給水源２から供給される水における、泡立ち成分を含む液剤の有無、該液剤の種類および濃度等によって、粒径や、更には持続性、肌触りの異なる多様な泡をユーザの嗜好に合わせて生成するように使用されるものである。
【００１３】
図２は実施形態１に係る吐出具の構成を模式的に示す断面図である。吐出具１は、第１給水口１１ａ、第２給水口１１ｂ、第１通流路１２ａ、第２通流路１２ｂ、第１吐出口１３ａおよび第２吐出口１３ｂを備える。第１通流路１２ａの中途部には第１エゼクター４ａ、第２通流路１２ｂの中途部には第２エゼクター４ｂが設けられている。
【００１４】
第１給水口１１ａは、給水管１４ａの端部の開口であり、止水弁３ａからの配管に接続される。第２給水口１１ｂは、給水管１４ｂの端部開口であり、止水弁３ｂからの配管に接続される。給水管１４ａおよび１４ｂは、浴槽９０のフランジ部９０ａに設けた孔に挿入して固定されている。
【００１５】
第１通流路１２ａは、給水管１４ａ内の給水路に一端側で連通し、第１給水口１１ａに供給された水を他端側の第１吐出口１３ａへ通流する。第１吐出口１３ａは、浴室空間側に臨み、浴槽９０内へ水および泡を吐出する。第１通流路１２ａは、中途部に第１エゼクター４ａを有し、第１エゼクター４ａの第１給水口１１ａ側が上流側の流路となり、第１エゼクター４ａの第１吐出口１３ａ側が下流側の流路となっている。第２通流路１２ｂは、給水管１４ｂ内の給水路に一端側で連通し、第２給水口１１ｂに供給された水を他端側の第２吐出口１３ｂへ通流する。第２吐出口１３ｂは、浴室空間側に臨み、浴槽９０内へ水および泡を吐出する。第２通流路１２ｂは、中途部に第２エゼクター４ｂを有し、第２エゼクター４ｂの第２給水口１１ｂ側が上流側の流路となり、第２エゼクター４ｂの第２吐出口１３ｂ側が下流側の流路となっている。
【００１６】
第１エゼクター４ａは、ノズル部４１ａ、吸気室４２ａおよび排出路４３ａを有している。ノズル部４１ａは、第１通流路１２ａの上流側における開口部分の流路面積が広く、第１通流路１２ａの下流側における開口部分の流路面積が狭いテーパ状に形成されている。ノズル部４１ａは、開口部分の形状が、円または楕円状であっても、矩形状であってもよい。
【００１７】
吸気室４２ａは、ノズル部４１ａの先端部分を囲む空間を形成している。吸気室４２ａにおける下流側は、テーパ状をなし、上流側で流路面積が広く、下流側で流路面積が狭くなっている。ノズル部４１ａの先端開口部分は、吸気室４２ａの下流側におけるテーパ状の部分の中途部に位置している。
【００１８】
排出路４３ａは、上流側が吸気室４２ａに、下流側が第１通流路１２ａの下流側に連通する流路であり、テーパ状に形成されている。排出路４３ａは、上流側で流路面積が狭く、下流側で流路面積が広くなっている。
【００１９】
第２エゼクター４ｂは、ノズル部４１ｂ、吸気室４２ｂおよび排出路４３ｂを有している。ノズル部４１ｂは、第２通流路１２ｂの上流側における開口部分の流路面積が広く、第２通流路１２ｂの下流側における開口部分の流路面積が狭いテーパ状に形成されている。ノズル部４１ｂは、開口部分の形状が、円または楕円状であっても、矩形状であってもよい。
【００２０】
吸気室４２ｂは、ノズル部４１ｂの先端部分を囲む空間を形成している。吸気室４２ｂにおける下流側は、テーパ状をなし、上流側で流路面積が広く、下流側で流路面積が狭くなっている。ノズル部４１ｂの先端開口部分は、吸気室４２ｂの下流側におけるテーパ状の部分の中途部に位置している。
【００２１】
排出路４３ｂは、上流側が吸気室４２ｂに、下流側が第２通流路１２ｂの下流側に連通する流路であり、テーパ状に形成されている。排出路４３ｂは、上流側で流路面積が狭く、下流側で流路面積が広くなっている。
【００２２】
第１エゼクター４ａの吸気室４２ａと第２エゼクター４ｂの吸気室４２ｂは、連通路４４によって連通している。連通路４４は、第１エゼクター４ａの吸気室４２ａから延びる連通路４４ａと、第２エゼクター４ｂの吸気室４２ｂから延びる連通路４４ｂからなる。
【００２３】
次に吐出具１の動作について説明する。図３は止水弁３ａおよび３ｂの開閉に対応する吐出具１からの吐出状態の例を示す図表である。図３に示すケースＡでは、止水弁３ａを開状態に、止水弁３ｂを閉状態とする。吐出具１は、第１給水口１１ａに水が供給され、第２給水口１１ｂには水が供給されない。第１給水口１１ａに供給された水は、第１通流路１２ａの上流側から第１エゼクター４ａのノズル部４１ａへ通流し、ノズル部４１ａで加圧され、排出路４３ａへ噴出される。ノズル部４１ａで高圧、排出路４３ａで低圧となるので、吸気室４２ａに空気が吸引される。吸気室４２ａは、連通路４４、第２エゼクター４ｂの吸気室４２ｂ、排出路４３ｂ、第２通流路１２ｂの下流側、および第２吐出口１３ｂで形成される空気の流路から空気を吸引する。第１エゼクター４ａは、吸気室４２ａに吸引された空気がノズル部４１ａから噴出した水に混入することによって、泡を生成する。生成された泡は、排出路４３ａおよび第１通流路１２ａの下流側流路を通って、第１吐出口１３ａから吐出される。尚、第２吐出口１３ｂは、水および泡を吐出しない状態となっている。
【００２４】
ケースＢでは、止水弁３ａを閉状態に、止水弁３ｂを開状態とする。吐出具１は、第２給水口１１ｂに水が供給され、第１給水口１１ａには水が供給されない。第２給水口１１ｂに供給された水は、第２通流路１２ｂの上流側から第２エゼクター４ｂのノズル部４１ｂへ通流し、ノズル部４１ｂで加圧され、排出路４３ｂへ噴出される。ノズル部４１ｂで高圧、排出路４３ｂで低圧となるので、吸気室４２ｂに空気が吸引される。吸気室４２ｂは、連通路４４、第１エゼクター４ａの吸気室４２ａ、排出路４３ａ、第１通流路１２ａの下流側、および第１吐出口１３ａで形成される空気の流路から空気を吸引する。第２エゼクター４ｂは、吸気室４２ｂに吸引された空気がノズル部４１ｂから噴出した水に混入することによって、泡を生成する。生成された泡は、排出路４３ｂおよび第２通流路１２ｂの下流側流路を通って、第２吐出口１３ｂから吐出される。尚、第１吐出口１３ａは、水および泡を吐出しない状態となっている。第２エゼクター４ｂのノズル部４１ｂの形状や位置、吸気室４２ｂの大きさ、排出路４３ｂの形状などを第１エゼクター４ａのそれらと異なるようにすれば、ケースＡとケースＢとで、生成される泡の大きさを変えることができる。
【００２５】
ケースＣでは、止水弁３ａを開状態に、止水弁３ｂを開状態とする。吐出具１は、第１給水口１１ａおよび第２給水口１１ｂに水が供給される。第１給水口１１ａに供給された水は、第１通流路１２ａの上流側から第１エゼクター４ａのノズル部４１ａへ通流し、ノズル部４１ａで加圧され、排出路４３ａへ噴出され、排出路４３ａおよび第１通流路１２ａの下流側へ通流し、第１吐出口１３ａから吐出される。第２給水口１１ｂに供給された水は、第２通流路１２ｂの上流側から第２エゼクター４ｂのノズル部４１ｂへ通流し、ノズル部４１ｂで加圧され、排出路４３ｂへ噴出され、排出路４３ｂおよび第２通流路１２ｂの下流側へ通流し、第２吐出口１３ｂから吐出される。吸気室４２ａおよび４２ｂは、第１通流路１２ａおよび第２通流路１２ｂの下流側が水で満たされるので、空気を吸引することができない。このため、吐出具１は、第１吐出口１３ａおよび第２吐出口１３ｂから水を吐出する。
【００２６】
次に、実施形態１の吐出具１の特徴を説明する。
本発明の実施形態１の吐出具１は、浴槽９０の表面側に取り付けられ、第１吐出口１３ａから浴槽９０へ水を吐出する。吐出具１は、第１給水口１１ａに給水源２からの水が供給される。第１給水口１１ａから供給された水は、第１通流路１２ａにより第１吐出口１３ａへ通流される。第１通流路１２ａは、第１エゼクター４ａを有する。第１エゼクター４ａは、第１給水口１１ａから流入する水に空気を混入して泡を生成し、第１吐出口１３ａへ送り出す。これにより、吐出具１で泡を生成することができる。吐出具１で泡を生成できるので、浴槽９０の裏側に泡供給装置および切替装置を設ける必要がなくなる。
【００２７】
また、吐出具１は、浴槽９０へ水を吐き出す第２吐出口１３ｂを有する。吐出具１は、第２給水口１１ｂに給水源２からの水が供給される。第２給水口１１ｂから供給された水は、第２通流路１２ｂにより第２吐出口１３ｂへ通流される。第２通流路１２ｂは、第２エゼクター４ｂを有する。第２エゼクター４ｂは、第２給水口１１ｂから流入する水に空気を混入して泡を生成し、第２吐出口１３ｂへ送り出す。これにより、第１吐出口１３ａまたは第２吐出口１３ｂから泡を吐出させることができる。また、第１吐出口１３ａおよび第２吐出口１３ｂから水を吐出させることもできる。
【００２８】
（実施形態２）
図４は実施形態２に係る吐出具１の構成を模式的に示す断面図である。実施形態２に係る吐出具１は、第１エゼクター４ａの吸気室４２ａと第２通流路１２ｂの下流側を連通する第１連通路４５ａ、および第２エゼクター４ｂの吸気室４２ｂと第１通流路１２ａの下流側を連通する第２連通路４５ｂを有する。また、吸気室４２ａにおける第１連通路４５ａへの連結口の流路面積が、吸気室４２ｂにおける第２連通路４５ｂへの連結口の流路面積よりも小さくしてある。
【００２９】
図５は止水弁３ａおよび３ｂの開閉に対応する吐出具１からの吐出状態の例を示す図表である。図５に示すケースＡでは、止水弁３ａを開状態に、止水弁３ｂを閉状態とする。吐出具１は、第１給水口１１ａに水が供給され、第２給水口１１ｂには水が供給されない。第１給水口１１ａに供給された水は、第１通流路１２ａの上流側から第１エゼクター４ａのノズル部４１ａへ通流し、ノズル部４１ａで加圧され、排出路４３ａへ噴出される。ノズル部４１ａで高圧、排出路４３ａで低圧となるので、吸気室４２ａに空気が吸引される。吸気室４２ａは、第１連通路４５ａ、第２通流路１２ｂの下流側、および第２吐出口１３ｂで形成される空気の流路から空気を吸引する。第１エゼクター４ａは、吸気室４２ａに吸引された空気がノズル部４１ａから噴出した水に混入することによって、泡を生成する。吸気室４２ａにおける第１連通路４５ａへの連結口の流路面積が小さいので、生成される泡は小さいものとなる。生成された泡は、排出路４３ａおよび第１通流路１２ａの下流側流路を通って、第１吐出口１３ａから吐出される。尚、第２吐出口１３ｂは、水および泡を吐出しない状態となっている。
【００３０】
ケースＢでは、止水弁３ａを閉状態に、止水弁３ｂを開状態とする。吐出具１は、第２給水口１１ｂに水が供給され、第１給水口１１ａには水が供給されない。第２給水口１１ｂに供給された水は、第２通流路１２ｂの上流側から第２エゼクター４ｂのノズル部４１ｂへ通流し、ノズル部４１ｂで加圧され、排出路４３ｂへ噴出される。ノズル部４１ｂで高圧、排出路４３ｂで低圧となるので、吸気室４２ｂに空気が吸引される。吸気室４２ｂは、第２連通路４５ｂ、第１通流路１２ａの下流側、および第１吐出口１３ａで形成される空気の流路から空気を吸引する。第２エゼクター４ｂは、吸気室４２ｂに吸引された空気がノズル部４１ｂから噴出した水に混入することによって、泡を生成する。吸気室４２ｂにおける第２連通路４５ｂへの連結口の流路面積が大きいので、生成される泡は大きいものとなる。生成された泡は、排出路４３ｂおよび第２通流路１２ｂの下流側流路を通って、第２吐出口１３ｂから吐出される。尚、第１吐出口１３ａは、水および泡を吐出しない状態となっている。
【００３１】
ケースＣでは、止水弁３ａを開状態に、止水弁３ｂを開状態とする。吐出具１は、第１給水口１１ａおよび第２給水口１１ｂに水が供給される。第１給水口１１ａに供給された水は、第１通流路１２ａの上流側から第１エゼクター４ａのノズル部４１ａへ通流し、ノズル部４１ａで加圧され、排出路４３ａへ噴出され、排出路４３ａおよび第１通流路１２ａの下流側へ通流し、第１吐出口１３ａから吐出される。第２給水口１１ｂに供給された水は、第２通流路１２ｂの上流側から第２エゼクター４ｂのノズル部４１ｂへ通流し、ノズル部４１ｂで加圧され、排出路４３ｂへ噴出され、排出路４３ｂおよび第２通流路１２ｂの下流側へ通流し、第２吐出口１３ｂから吐出される。吸気室４２ａおよび４２ｂは、第１通流路１２ａおよび第２通流路１２ｂの下流側が水で満たされるので、空気を吸引することができない。このため、吐出具１は、第１吐出口１３ａおよび第２吐出口１３ｂから水を吐出する。
【００３２】
次に、実施形態２の吐出具１の特徴を説明する。
本発明の実施形態２の吐出具１は、第１連通路４５ａによって、第１エゼクター４ａの吸気室４２ａと第２通流路１２ｂの下流側を連通し、第２連通路４５ｂによって、第２エゼクター４ｂの吸気室４２ｂと第１通流路１２ａの下流側を連通する。これにより、吐出具１は、第１吐出口１３ａまたは第２吐出口１３ｂから泡を吐出させることができ、第１吐出口１３ａおよび第２吐出口１３ｂから水を吐出させることができる。また、吸気室４２ａにおける第１連通路４５ａへの連結口の流路面積と、吸気室４２ｂにおける第２連通路４５ｂへの連結口の流路面積を異なるものとすることで、第１吐出口１３ａおよび第２吐出口１３ｂから吐出させる泡の大きさを変えることができる。
【００３３】
図６は、吐出具１の配置に関する別の例を説明するための模式図である。図６に示す吐出具１は、上述の実施形態と同様に、給水口が形成された給水管部分で浴槽９０のフランジ部９０ａに取り付けられているが、吐出口に至る通流路が内部に形成された胴体部分が浴槽９０から離間した位置にあるものとしている。
【００３４】
図７は、吐出具１の配置に関するさらに別の例を説明するための模式図である。図７に示す吐出具１は、浴槽９０のフランジ部９０ａに一段下がった段部９０ｂが形成されており、段部９０ｂの浴槽表面側に吐出具１が配置されるものとしている。
【００３５】
態様１の吐出具は、浴槽の表面側に取り付けられる吐出具であって、前記浴槽へ水を吐出する第１吐出口と、給水源からの水が供給される第１給水口と、前記第１給水口から供給される水を前記第１吐出口へ通流させる第１通流路と、を備え、前記第１通流路は、前記第１給水口から流入する水に空気を混入して泡を生成し、前記第１吐出口へ送り出す第１エゼクターを有することを特徴とする吐出具。
【００３６】
態様２の吐出具は、前記浴槽へ水を吐出する第２吐出口と、給水源からの水が供給される第２給水口と、前記第２給水口から供給される水を前記第２吐出口へ通流させる第２通流路と、を備え、前記第２通流路は、前記第２給水口から流入する水に空気を混入して泡を生成し、前記第２吐出口へ送り出す第２エゼクターを有し、前記第１エゼクターおよび第２エゼクターの吸気室を連通する連通路が設けられていることを特徴とする態様１に記載の吐出具。
【００３７】
態様３の吐出具は、前記浴槽へ水を吐出する第２吐出口と、給水源からの水が供給される第２給水口と、前記第２給水口から供給される水を前記第２吐出口へ通流させる第２通流路と、を備え、前記第２通流路は、前記第２給水口から流入する水に空気を混入して泡を生成し、前記第２吐出口へ送り出す第２エゼクターを有し、前記第１エゼクターの吸気室と前記第２エゼクターの下流側の前記第２通流路を連通する第１連通路、および、前記第２エゼクターの吸気室と前記第１エゼクターの下流側の前記第１通流路を連通する第２連通路が設けられていることを特徴とする態様１に記載の吐出具。
【００３８】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００３９】
１  吐出具、  １１ａ  第１給水口、  １１ｂ  第２給水口、
１２ａ  第１通流路、  １２ｂ  第２通流路、
１３ａ  第１吐出口、  １３ｂ  第２吐出口、
１４ａ  給水管（第１給水管）、  １４ｂ  給水管（第２給水管）、
４ａ  第１エゼクター、  ４ｂ  第２エゼクター、
４２ａ，４２ｂ  吸気室、  ４４  連通路、
４５ａ  第１連通路、  ４５ｂ  第２連通路、  ９０  浴槽。
【図１】
2020110644.tif 000003
【図２】
2020110644.tif 000004
【図３】
2020110644.tif 000005
【図４】
2020110644.tif 000006
【図５】
2020110644.tif 000007
【図６】
2020110644.tif 000008
【図７】
2020110644.tif 000009